(57)【要約】【課題】  重量物たるロール体を収容したマガジンを装置本体に連結する際の作業者の作業負担を軽減した上で、装置本体に対してペーパーの供給することのできる連結位置でマガジンを連結することのできるプリント装置を提供する。【解決手段】  ペーパーに対して画像を形成する装置本体と、長尺なペーパーのロール体を収容可能に構成されると共に、装置本体がペーパーを受入可能な連結位置で該装置本体に連結可能に構成され、装置本体に連結させた状態でペーパーを装置本体に供給可能に構成された走行式のマガジンとを備えたプリント装置において、前記連結位置に到達する前の所定位置でマガジンの存在を検知する検知手段と、前記検知手段がマガジンを検知したときに、所定位置のマガジンを前記連結位置に引き込む引込手段とを備えていることを特徴とする。【選択図】図１
2006016152.tif 000002
【特許請求の範囲】
【請求項１】
ペーパーに対して画像を形成する装置本体と、長尺なペーパーのロール体を収容可能に構成されると共に、装置本体がペーパーを受入可能な連結位置で該装置本体に連結可能に構成され、装置本体に連結させた状態でペーパーを装置本体に供給可能に構成された走行式のマガジンとを備えたプリント装置において、前記連結位置に到達する前の所定位置でマガジンの存在を検知する検知手段と、前記検知手段がマガジンを検知したときに、所定位置のマガジンを前記連結位置に引き込む引込手段とを備えていることを特徴とするプリント装置。
【請求項２】
前記検知手段は、マガジンにおける走行方向に対して直交する方向の両側を検知するように構成され、引込手段は、前記検知手段によって所定位置でマガジンの両側が検知されたときに、マガジンを引き込むように構成されてなる請求項１記載のプリント装置。
【請求項３】
前記引込手段は、マガジンに対する連結位置への前記引き込みに加え、所定の操作に基づいて連結位置からマガジンを離脱させるように構成されてなる請求項１又は２記載のプリント装置。
【請求項４】
前記引込手段は、駆動源から駆動が伝達されるピニオンギアと、該ピニオンギアと噛合可能なラックギアとを備え、装置本体又はマガジンの何れか一方に前記ピニオンギアが設けられると共に、他方にラックギアが設けられてなる請求項１乃至３の何れかに記載のプリント装置。
【請求項５】
前記検知手段は、被検知体を検知する非接触センサーで構成され、前記ピニオンギアは、所定の回転角度の範囲で自在に回転するように構成されると共に、駆動源からの駆動によって正逆転可能に構成され、しかも前記被検知体が所定位置に取り付けられ、前記所定の回転角度範囲内に設定された原点位置に被検知体を戻すべく、原点復帰用の付勢手段によって所定回転方向に付勢されてなる請求項４記載のプリント装置。
【発明の詳細な説明】
【技術分野】
【０００１】
本発明は、ペーパーに対して画像を形成するためのプリント装置に関し、より詳しくは、ペーパーに画像を形成する装置本体に、長尺なペーパーのロール体を収容したマガジンを連結し、該マガジンから装置本体にペーパーを供給するように構成されたプリント装置に関する。
【背景技術】
【０００２】
ぺーパーに露光処理や印刷処理を施して画像を形成するプリント装置には、大量処理向け（業務用）のものがある。かかるプリント装置は、ペーパーに対して画像を形成する装置本体と、長尺なペーパーのロール体（例えば、長さが４０００フィート（１２１９ｍ）で幅が１０インチ（２５４ｍｍ）のペーパーのロール体であって、重量が約８０ｋｇのロール体）を収容可能に構成されると共に、装置本体がペーパーを受入可能な連結位置で該装置本体に連結可能に構成されたマガジンとを備えており、該マガジンを装置本体に連結させた状態で、マガジンから装置本体にペーパーを連続的に供給するようになっている。
【０００３】
前記装置本体には、マガジンを連結位置に案内するガイドが設けられており、連結状態にあるマガジンからペーパーが確実に供給されるようになっている。また、装置本体には、連結位置でマガジンを連結する際の衝撃を吸収するためのダンパーが設けられ、装置本体及びマガジンの破損等を防止するようにしたものがある。
【０００４】
前記マガジンは、ロール体を収容する収容部を有し、該収容部の下面に走行輪が設けられている。これにより、該マガジンは、重量物たるロール体を収容した状態であっても、人手によって移動（走行）させることができるようになっている。
【発明の開示】
【発明が解決しようとする課題】
【０００５】
しかしながら、上述の如く、ロール体は非常に重いため、これを収容したマガジンを装置本体にペーパーを供給することのできる連結位置に到達させて連結するには、大きな力を要することになり、作業者に係る作業負担が大きいといった問題がある。特に、上述の如く装置本体にガイドやダンパー等が設けられていると、装置本体に設けられたガイドや、ダンパー等による抵抗が作用するため、装置本体にペーパーを供給することのできる連結位置にマガジンを到達させるのに大きな力が必要となって作業者の作業負担が大きくなってしまう。
【０００６】
そこで、本発明は、斯かる実情に鑑み、重量物たるロール体を収容したマガジンを装置本体に連結する際の作業者の作業負担を軽減した上で、装置本体に対してペーパーの供給することのできる連結位置でマガジンを連結することのできるプリント装置を提供しようとするものである。
【課題を解決するための手段】
【０００７】
本発明に係るプリント装置は、ペーパーに対して画像を形成する装置本体と、長尺なペーパーのロール体を収容可能に構成されると共に、装置本体がペーパーを受入可能な連結位置で該装置本体に連結可能に構成され、装置本体に連結させた状態でペーパーを装置本体に供給可能に構成された走行式のマガジンとを備えたプリント装置において、前記連結位置に到達する前の所定位置でマガジンの存在を検知する検知手段と、前記検知手段がマガジンを検知したときに、所定位置のマガジンを前記連結位置に引き込む引込手段とを備えていることを特徴とする。
【０００８】
上記構成のプリント装置によれば、前記連結位置に到達する前の所定位置でマガジンの存在を検知する検知手段と、前記検知手段がマガジンを検知したときに、所定位置のマガジンを前記連結位置に引き込む引込手段とを備えているので、検知手段が所定位置でマガジンを検知した以降において、人手によってマガジンを連結位置まで移動させる必要がなく、作業員の作業負担を軽減した上で、装置本体にペーパーを供給することのできる連結位置でマガジンを連結させることができる。従って、例えば、マガジンの連結に伴う衝撃を吸収するダンパーやマガジンを案内するガイド等、即ち、装置本体に対する連結時にマガジンに抵抗を与える部材を設けたとしても、作業者がその抵抗に対抗する力を作用させることなく、マガジンを連結位置に到達させることができる。
【０００９】
本発明の一態様として、前記検知手段は、マガジンにおける走行方向に対して直交する方向の両側を検知するように構成され、引込手段は、前記検知手段によって所定位置でマガジンの両側が検知されたときに、マガジンを引き込むように構成されることが好ましい。このようにすれば、マガジンを連結位置に引き込むに際し、マガジンが適性な姿勢となっており、マガジンを円滑に連結位置に向けて走行させる（引き込む）ことができる。つまり、所定位置においてマガジンの両側を検知するようにすれば、マガジンが走行中心（引込み方向）に対して傾いた姿勢で強引に引き込まれるのを防止することができるので、マガジンを円滑に連結位置まで引き込むことができる。
【００１０】
本発明の他態様として、前記引込手段は、マガジンに対する連結位置への前記引き込みに加え、所定の操作に基づいて連結位置からマガジンを離脱させるように構成されてもよい。このようにすれば、上述のようにマガジンを装置本体に連結するときのみならず、マガジンを装置本体から離脱させるに際しても作業者の作業負担を軽減することができる。
【００１１】
前記引込手段は、検知手段の検知結果に基づいて駆動源から駆動が伝達されるピニオンギアと、該ピニオンギアと噛合可能なラックギアとを備え、装置本体又はマガジンの何れか一方に前記ピニオンギアが設けられると共に、他方にラックギアが設けられてもよい。このようにすれば、マガジンが所定位置に到達したときに、ピニオンギアを一方向に回転させれば、該ピニオンギアと、該ピニオンギアに噛合したラックギアがマガジンの連結方向に相対的に移動することになり、これによってマガジンを連結位置に到達させることができる。また、マガジンが連結位置で連結している状態において、ピニオンギアを他方向に回転（逆転）させれば、該ピニオンギアと、該ピニオンギアに噛合したラックギアとがマガジンの離脱方向に相対的に移動することになり、これによってマガジンを連結位置から離脱させることができる。
【００１２】
さらに、前記検知手段は、被検知体を検知する非接触センサーで構成され、前記ピニオンギアは、所定の回転角度の範囲で自在に回転するように構成されると共に、駆動源からの駆動によって正逆転可能に構成され、しかも前記被検知体が所定位置に取り付けられ、前記所定の回転角度範囲内に設定された原点位置に被検知体を戻すべく、原点復帰用の付勢手段によって所定回転方向に付勢されるようにしてもよい。
【００１３】
このようにすれば、ラックギアとピニオンギアとが噛合するに際し、被検知体が原点位置に位置することになり、被検知体が原点位置からピニオンギアの回転自在な所定角度範囲の限界位置まで変移するまで、即ち、ラックギアとピニオンギアとが噛合してから、ラックギアが一定の範囲で回転するまで、ピニオンギアに駆動が伝達されるのを防止することができる。これにより、ラックギアとピニオンギアとが確実に噛合するまでは、駆動が伝達されないため、ラックギア及びピニオンギアを確実に噛合させることができると共に、噛合時に歯が損傷するといった事態になるのを未然に防止することができる。
【発明の効果】
【００１４】
以上のように、本発明に係るプリント装置によれば、重量物たるロール体を収容したマガジンを装置本体に連結する際の作業者の作業負担を軽減した上で、装置本体に対してペーパーの供給することのできる連結位置でマガジンを連結することができるという優れた効果を奏し得る。
【発明を実施するための最良の形態】
【００１５】
以下、本発明の一実施形態に係るプリント装置について、添付図面を参照しつつ説明する。なお、本実施形態においては、プリント装置としての業務用の写真処理装置（露光処理装置）を一例として説明することとする。
【００１６】
本実施形態に係る露光処理装置は、供給されてくる長尺な感光材料に連続的に露光処理を施し、該露光処理済みの感光材料をロール状に巻き取って回収する、いわゆるＲＯＬＬｔｏＲＯＬＬシステムが採用されている。該露光処理装置は、図１及び図２に示す如く、長尺な感光材料Ｐに露光処理を連続的に行う装置本体１と、感光材料Ｐを収容可能に構成されると共に、該感光材料Ｐを装置本体１に供給可能に構成された走行式の供給マガジン２（マガジン）と、露光処理後の感光材料Ｐをロール状に巻き取って回収する回収マガジン３とで構成されている。
【００１７】
前記装置本体１は、感光材料Ｐを搬送する搬送機構１０と、搬送機構１０で搬送される感光材料Ｐに露光処理を施す露光ユニット１１と、感光材料Ｐを所定の長さで切断する切断装置１２とを備えており、これらは、筐体１３内に内装されている。また、該装置本体１は、前記供給マガジン２が連結される供給マガジン連結部１４と、回収マガジン３が連結される回収マガジン連結部１５とが設けられている。
【００１８】
前記搬送機構１０は、前記供給マガジン連結部１４と回収マガジン連結部１５との間で感光材料Ｐを搬送する搬送経路を形成しており、本実施形態においては、感光材料Ｐを圧着搬送する複数の搬送ローラ対１００…が、感光材料Ｐを搬送する方向に所定の間隔を有して配設されることによって構成されている。即ち、該搬送機構１０は、供給マガジン連結部１４に連結された供給マガジン２から供給されてくる感光材料Ｐを複数の搬送ローラ対１００…で圧着搬送し、回収マガジン連結部１５に連結された回収マガジン３に送り込むように構成されている。
【００１９】
本実施形態に係る露光ユニット１１には、レーザー露光装置（レーザービーム方式の露光装置）が採用されている。なお、露光ユニット１１には、レーザービーム方式の他、ＰＬＺＴシャッター方式や、液晶シャッター方式、蛍光ビーム方式等の種々の露光装置を採用することができ、装置の仕様、露光処理の精度等に応じて適宜選択して採用することができる。
【００２０】
前記切断装置１２は、供給マガジン連結部１４の下流側であって、感光材料Ｐに対して露光処理を行う露光領域の上流側に設けられており、供給マガジン２から連続的に供給されてくる長尺な感光材料Ｐを切断できるようになっている。このように切断装置１２を設けることで、感光材料Ｐの搬送等のトラブルが発生した場合や、回収マガジン３での感光材料Ｐの回収状況、露光処理のオーダーの状況等に応じて、長尺な感光材料Ｐを適宜切断できるようになっている。
【００２１】
前記供給マガジン連結部１４は、筐体１３の一方の側面側に供給マガジン２を連結可能に形成されている。該供給マガジン連結部１４について具体的に説明すると、該供給マガジン連結部１４は、供給マガジン２の一部（後述する装着部２０）を装填する開口１４０（以下、供給側装填口という。）が筐体１３の一方の側面に形成されており、装着部２０が装填（収容）される空間１４１（以下、供給側装填空間という。）が供給側装填口１４０から筐体１３の内部側に奥まって形成されている。
【００２２】
該供給側装填空間１４１は、互いに対向して起立した一対の壁部１４１ａ（以下、側壁部という。）と、該側壁部１４１ａの一端（奥側の端縁）同士を接続して起立した壁部１４１ｂ（以下、奥壁部という。）と、側壁部１４１ａ及び奥壁部１４１ｂの上端に両端及び一側端が接続された壁部１４１ｃ（以下、上壁部という。）とにより画定されおり、前記供給側装填口１４０は、側壁部１４１ａの他端及び上壁部１４１ｃの他側端によって画定されている。
【００２３】
前記上壁部１４１ｃには、供給マガジン２の後述する供給口２１１から送り込まれる感光材料Ｐを受け入れるスリット状の受入口１４２が形成された供給側遮光体１４３が設けられている。該供給側遮光体１４３は、受入口１４２が搬送機構１０を構成する最上流の搬送ローラ対１００及び適正な姿勢で装填された供給マガジン２の供給口２１１に対応するように配置されている。該供給側遮光体１４３は、前記装着部２０の上面の前記供給口２１１を含んだ領域に形成された装着部嵌合凹部２１２に嵌合可能に形状設定されると共に、バネやダンパー等の付勢手段（図示しない）を介して下方（供給側装填空間１４１）に向けて付勢されており、供給側装填空間１４１内に突出して設けられている。即ち、供給側遮光体１４３は、上壁部１４１ｃと直交する方向（上下方向）に変位可能な状態で供給側装填空間１４１に向けて付勢されている。これにより、該供給マガジン連結部１４に装着部２０が装着された状態（供給マガジン２が連結された状態）で、供給口２１１から供給される感光材料Ｐが露光処理前に感光することなく、装置本体１（受入口１４２）に供給できるようにようになっている。
【００２４】
また、図３に示す如く、供給マガジン連結部１４には、供給マガジン２を連結するに際して、該供給マガジン２が所定位置に到達したときに、該供給マガジン２の存在を検知する検知手段（図示しない）と、該検知手段の検知結果に基づいて、該供給マガジン２を装置本体１に感光材料Ｐを供給することができる連結位置に引き込む引込手段１４４とを備えている。さらに、供給マガジン連結部１４には、該供給マガジン２（装着部２０）を案内する案内手段１４５や、連結位置に導かれた供給マガジン２を連結位置で保持させる保持手段１４９、供給マガジン２の連結に伴う衝撃を吸収するためのダンパー（図示しない）等が設けられている。
【００２５】
前記検知手段は、供給マガジン２に対してガイド等の案内によって抵抗が生じる前、すなわち、供給マガジン２の押し込みにおいて、接触抵抗が大きくなる前の所定位置で供給マガジン２の存在を検知できるように構成されており、本実施形態においては、被検知体を非接触で検知するセンサー（図示しない）が採用されている。該センサーとしては、反射板からなる被検知体からの反射光を検知するセンサーや、磁性体からなる被検知体を検知するセンサー等を採用することができ、被検知体は、引込手段１４４の後述する第一ピニオンギア１４４ａ（図４及び図５参照）に取り付けられており、センサーは、被検知体を所定位置（予め設定された原点から所定の回転角度変位した規定検知位置）で検知できるように配置されている。これにより、センサーが原点位置から規定検知位置に変移した（供給マガジン２の引き込みを開始させる位置（所定位置）に対応した位置）に到達した被検知体を検知し、その検知結果に基づいて引込手段１４４の駆動源Ｍ（図５参照）を駆動させるようになっている。すなわち、センサーは、供給マガジン２が所定位置に到達して規定検知位置で被検知体を検知したときに、供給マガジン２が接続位置に引き込まれるように駆動源Ｍを駆動させる指示信号を発信するようになっている。
【００２６】
前記引込手段１４４は、図４及び図５に示す如く、供給マガジン２に取り付けられたラックギア２１８と噛合可能なピニオンギア１４４ａ（以下、第一ピニオンギアという）と、該第一ピニオンギア１４４ａに回転を伝達すべく、該第一ピニオンギア１４４ａに噛合した第二ピニオンギア１４４ｂと、第二ピニオンギア１４４ｂと同心で設けられると共に、第二ピニオンギア１４４ｂに回転を伝達する第一平歯車１４４ｃと、該第一平歯車１４４ｃに噛合すると共に、該引込手段１４４を作動させる駆動源Ｍに連結された第二平歯車１４４ｄとで構成されている。
【００２７】
前記第一ピニオンギア１４４ａは、供給マガジン連結部１４に装填される供給マガジン２の装填方向に回転可能に構成されており、該供給マガジン２のラックギア２１８の通過位置に対応するように、供給側装填空間１４１に突出するように設けられている。第一ピニオンギア１４４ａの一端面（上面）には、ピン１４４ｅが突設されており、該ピン１４４ｅと該第一ピニオンギア１４４ａが軸支されるフレームＦに設けられたピン１４４ｆとの間に付勢手段１４４ｈ（本実施形態においてはコイルバネ）が架け渡されており、この付勢によって、第一ピニオンギア１４４ａに取り付けられた被検知体を原点位置に復帰させるようになっている。
【００２８】
具体的に説明すると、第一ピニオンギア１４４ａは、第一平歯車１４４ｃに対する第二ピニオンギア１４４ｂの作動により、所定の回転角度範囲で回転自在になっており、この範囲を超えた時点で駆動源Ｍからの駆動が伝達されるようになっている。そして、この回転自在な回転範囲内の所定位置（例えば、回転範囲内の中間位置）が被検知体の原点位置に設定されており、回転範囲の一方側の限界位置に被検知体が位置した場合に、コイルバネの付勢で被検知体を原点位置に戻すようになっている。
【００２９】
これにより、供給マガジン２を引き込みを開始させる所定位置に到達させるまで、すなわち、供給マガジン２のラックギア２１８が第一ピニオンギア１４４ａと噛合し、第一ピニオンギア１４４ａに取り付けられた被検知体が回転範囲の他方側の限界位置（規定検知位置）に到達するまでは、第一ピニオンギア１４４ａがフリーな状態で回転し、被検知体が規定検知位置に到達した時点でセンサーの検知により、駆動源Ｍが作動して供給マガジン２を引き込むようになっている。このように、被検知体を原点復帰させておけば、原点位置から規定検知位置までの回転角度が一定であるので、第一ピニオンギア１４４ａの駆動開始時において、ラックギア２１８と第一ピニオンギア１４４ａとの噛み合い状態が常に同じ状態となり、供給マガジン２を引き込みすぎるのを防止できるようになっている。また、該第一ピニオンギア１４４ａとラックギア２１８とが噛合する際に、互いの干渉によって生じる衝撃を吸収すべく、第一ピニオンギア１４４ａの軸の下端部にロータリーダンパーが設けられている。
【００３０】
前記第二ピニオンギア１４４ｂは、第一平歯車１４４ｃよりも小径に設定されており、第一平歯車１４４ｃの回転軸に回転自在に設けてられている。そして、該第一平歯車１４４ｃには、前記回転軸に枢着された第二ピニオンギア１４４ｂの下端面に突設された係合凸部１６０が嵌め込まれる凹部１６１が形成されている。該凹部１６１は、第二ピニオンギア１４４ｂ（第一ピニオンギア１４４ａ）が自在に回転できる範囲を所定範囲に規制するようになっている。即ち、前記係合凸部１６０は、第二ピニオンギア１４４ｂの歯に対応するように中心から放射状に複数突設されると共に、前記凹部１６１は各係合凸部１６０を遊嵌できるように、第一平歯車１４４ｃの中心から放射状に形成されており、該凹部１６１の第一平歯車１４４ｃの周方向の幅が、係合凸部１６０の周方向の幅よりも広く設定されている。これにより、第二ピニオンギア１４４ｂ、即ち第二ピニオンギア１４４ｂから駆動が伝達される第一ピニオンギア１４４ａが自在に回転できる範囲が所定範囲内に規制されるようになっている。
【００３１】
以上のように引込手段１４４を構成することで、ラックギア２１８が第一ピニオンギア１４４ａと噛合するに際し、初期の段階で第一ピニオンギア１４４ａは、所定の回転範囲内で自在に回転し、該回転に伴って原点位置から規定検知位置に変位した被検知体を検知手段が検知して供給マガジン２の存在を認識することになる。そして、検知手段による検知結果に基づき、駆動源Ｍが駆動し、第二平歯車１４４ｄ、第一平歯車１４４ｃ、第二ピニオンギア１４４ｂを介して第一ピニオンギア１４４ａが駆動することになる。このように第一ピニオンギア１４４ａが回転駆動する際には、すでに第一ピニオンギア１４４ａが所定の範囲で回転している状態、即ち、第一ピニオンギア１４４ａと供給マガジン２のラックギア２１８とが噛合した状態であるので、第一ピニオンギア１４４ａの回転によって供給マガジン２が装置本体１に対して感光材料Ｐを供給することのできる連結位置に引き込まれることになる。
【００３２】
本実施形態においては、検知手段が引込手段１１４に対して一体的に構成されているので、検知手段についても、引込手段１１４の配置に対応して設けられており、所定位置において供給マガジン２における走行方向と直交する方向の両側（装着部２０の両側面側）を検知できるようになっている。これにより、引込手段１４４が動作するに際し、供給マガジン２が引込手段１４４による引込中心に対して傾いた姿勢のまま引き込まれるのを防止するようになっている。つまり、検知手段によって供給マガジン２の両側面に対して個別に位置検知を行うようにすることで、供給マガジン２の両側のそれぞれが所定位置に存在すると検知した状態で、供給マガジン２の走行中心と、引込手段１４４における供給マガジン２に対しての引込中心とが略一致した状態と判断することができる。従って、供給マガジン２の両側面のそれぞれが所定位置で検知された状態で、引込手段１４４を動作させると、供給マガジン２を円滑に連結位置まで引き込むことができる。
【００３３】
また、引込手段１４４は、筐体１３の一方の側面に設けられたハンドルＨ（図２参照）の操作と併せて、当該露光処理装置の制御用のスイッチ（図示しない）を操作することにより、駆動源Ｍが逆転駆動して第一ピニオンギア１４４ａが逆方向に回転し、噛合状態にあるラックギア２１８を供給側装填口１４０に向けて押しやり、供給マガジン２を前記連結位置から離脱させるようになっている。
【００３４】
図３に戻り、案内手段１４５について具体的に説明すると、該案内手段１４５は、供給マガジン２（装着部２０）の上面（被案内面）を案内して、供給マガジン２（装着部２０）の装填方向における位置決めをする（装着部２０の前後方向の姿勢を修正する）第一案内体１４６と、供給マガジン２（装着部２０）の両側面を案内して、供給マガジン２（装着部２０）の装填方向に対して直交する方向における位置決めをする（装着部２０の横方向の姿勢を修正する）第二案内体１４７と、供給マガジン２を第二案内体１４７間に案内する一対の補助ガイドバー１４８とで構成されている。
【００３５】
本実施形態において、前記第一案内体１４６は、前記上壁部１４１ｃに設けられ、第二案内体１４７は、側壁部１４１ａに設けられている。
【００３６】
第一案内体１４６は、供給マガジン２の上面に接触して案内するローラ１４６ａ（第一ローラ）と、該第一ローラ１４６ａを軸支すると共に上下方向に変位可能に構成されたブロック体１４６ｂと、該ブロック体１４６ｂを下方に向けて付勢する付勢手段（図示しない）とを備えており、第一案内体１４６は、受入口１４２（供給側遮光体１４３）の両側に隣接して設けられている。
【００３７】
第二案内体１４７は、供給マガジン２の側面に接触して案内するローラ１４７ａ（第二ローラ）と、該第二ローラ１４７ａを軸支するとブロック体１４７ｂとを備えている。該第二案内体１４７は、一対の側壁部１４１ａのそれぞれの上部及び下部に設けられており、装着部２０の上部及び下部の側面（被案内面）を案内するようになっている。一方の側壁部１４１ａに設けられた第二案内体１４７のブロック体１４７ｂは、略水平方向（装着部２０の装填方向と直交する方向）に変位可能に構成されると共に、付勢手段１４７ｃ（本実施形態においてはコイルバネ）によって供給側装填空間１４１に向けて付勢されている。その一方で、他方の側壁部１４１ｂに設けられた第二案内体１４７のブロック体１４７ｂは、変位不能に設けられている。これにより、他方の側壁部１４１ｂに設けられた第二案内体１４７の第二ローラ１４７ａを基準にして、供給マガジン２の両側面を案内できるように構成されている。
【００３８】
補助ガイドバー１４８は、一対の側壁部１４１ａのそれぞれの上部及び下部に設けられており、供給マガジン２の連結方向（供給側装填空間１４１への装填方向）に延びている。上部の補助ガイドバー１４８同士、及び下部の補助ガイドバー１４８同士の間隔は、供給マガジン２（装着部２０）の両側面間の間隔よりも広く設定されており、第二ローラ１４７ａ間に向けて円滑に導けるようになっている。
【００３９】
前記保持手段１４９は、所定の操作（本実施形態においては、筐体１３の一方の側面に設けられたハンドルＨ（図２参照）の操作）をすることにより、装着部２０に対する所定位置でのロック、及びその解除を行えるようになっている。
【００４０】
具体的には、本実施形態に係る保持手段１４９は、供給マガジン連結部１４（一対の側壁部１４１ａ）の上部及び下部の四カ所に設けられており、供給マガジン２（装着部２０）の上部及び下部を保持するようになっている。該保持手段１４９は、装着部２０の後述する被係合凸部２１９（図７参照）に対して係合可能に構成された係合体１４９ａを、供給側装填空間１４１に対して出退可能に構成されており、係合体１４９ａが供給側装填空間１４１に向けて突出した状態で前記被係合凸部２１９と係合し、待避した状態で係合が解除されるようになっている。
【００４１】
本実施形態に係る係合体１４９ａには、カムフォロアが採用されている。該カムフォロア１４９ａは、供給マガジン２の装着方向に延びる（補助ガイドバー１４８と同方向に延びる）軸心周りで回転するアーム１４９ｂの先端に設けられており、供給マガジン２の装填方向と直交する方向に延びる軸心周りで回転できるようになっている。
【００４２】
前記アーム１４９ｂは、前記ハンドルＨの操作で作動するリンク機構（図示しない）の一構成であり、ハンドルＨを操作することにより、供給マガジン２の装填方向に延びる軸心周りで正逆回転し、前記カムフォロア１４９ａが供給側装填空間１４１に対して出退するようになっている。これにより、該カムフォロア１４９ａは、アーム１４９ｂが正逆回転することで、上述の如く、供給側装填空間１４１に突出して前記被係合凸部２１９と係合する係合状態と、供給側装填空間１４１から待避して被係合凸部２１９との係合状態が解除される非係合状態とに切り替わるようになっている。
【００４３】
このように、アーム１４９ｂを回転させてカムフォロア１４９ａを被係合凸部２１９に係合させるようにすることで、アーム１４９ｂを回転させるにつれ、カムフォロア１４９ａが被係合凸部２１９に係合しつつ、被係合凸部２１９（装着部２０）を供給側装填空間１４１の奥側（奥壁部１４１ｂ側）に引き寄せ、供給口２１１と受入口１４２とが一致する適正な位置（連結位置）で装着部２０を保持して、該装着部２０が装置本体１（供給マガジン連結部１４）に連結（装着）されるようになっている。
【００４４】
また、該供給マガジン連結部１４は、供給マガジン２からの感光材料Ｐを受け入れるべく、供給マガジン２の後述する送出ローラ対２１４（図２参照）を駆動するための供給側駆動伝達機構を備えている。該供給側駆動伝達機構は、ギア、チェーン等の機械要素の組み合わせにより構成されており、連結された供給マガジン２の送出ローラ対２１４に回転を伝達できるようになっている。
【００４５】
図２に戻り、前記回収マガジン連結部１５は、筐体１３の他方の側面側に回収マガジン３を連結可能に形成されている。該回収マガジン連結部１５について具体的に説明すると、該回収マガジン連結部１５は、回収マガジン３の一部を装填する開口１５０（以下、回収側装填口という。）が筐体１３の他方の側面に形成されており、回収マガジン３の一部が収容される空間１５１（以下、回収側装填空間という。）が回収側装填口１５０から筐体１３の内部側に奥まって形成されている。
【００４６】
該回収側装填空間１５１は、互いに対向して起立した一対の壁部１５１ａ（以下、回収側側壁部という。）と、該回収側側壁部１５１ａの一端（奥側の端縁）同士を接続して起立した壁部１５１ｂ（以下、回収側奥壁部という。）と、回収側側壁部１５１ａ及び回収側奥壁部１５１ｂの上端に両端及び一側端が接続された壁部１５１ｃ（以下、回収側上壁部という。）と、回収側側壁部１５１ａ及び回収側奥壁部１５１ｂの下端に両端及び一側端が接続された壁部１５１ｄ（以下、回収側下壁部という。）とにより画定されおり、前記回収側装填口１５０は、回収側側壁部１５１ａの他端、回収側上壁部１５１ｃの他側端、及び回収側下壁部１５１ｄの他側端によって画定されている。
【００４７】
回収側奥壁部１５１ｂには、回収マガジン３の後述する回収口３１に露光処理済みの感光材料Ｐを送り出すスリット状の送出口１５２が形成された回収側遮光体１５３が設けられている。該回収側遮光体１５３は、送出口１５２が搬送機構１０を構成する最下流の搬送ローラ対１００、及び適正な姿勢で装填された回収マガジン３の回収口３１に対応するように配置されている。該回収側遮光体１５３は、回収マガジン３の前面（走行方向において先頭となる面）を構成する起立した壁板の前記回収口３１を含む領域に形成された回収側嵌合凹部３２に嵌合可能に形状設定されると共に、バネやダンパー等の付勢手段（図示しない）を介して回収側装填空間１５１に向けて付勢されており、回収側装填空間１５１内に突出して設けられている。
【００４８】
即ち、回収側遮光体１５３は、回収側奥壁部１５１ｂと直交する方向（回収マガジン３の装填方向）に変位可能な状態で回収側装填空間１５１に向けて付勢されている。これにより、該回収マガジン連結部１５に回収マガジン３が装着された状態で、回収マガジン３及び回収側遮光体１５３が密接状態になり、且つ送出口１５２及び回収口が連通し、送出口１５２から送り出される感光材料Ｐを回収マガジン３の回収口に確実に送り出せるようになっている。
【００４９】
さらに、該回収マガジン連結部１５は、図２及び図６に示す如く、回収マガジン３の側面を案内する案内ローラ１５４と、回収マガジン３の下面を案内する案内面１５５と、案内ローラ１５４及び案内面１５５によって案内されて装着された回収マガジン３を保持する保持体１５６とを備えている。
【００５０】
前記案内ローラ１５４は、一対の回収側側壁部１５１ａのそれぞれに設けられており、回収マガジン３の装填方向に回転可能に設けられており、前記案内面１５５は、回収側下壁部１５１ｄ上に形成されており、回収側奥壁部１５１ｂに向けて昇り勾配になった傾斜面で構成されている。これにより、該回収マガジン連結部１５は、回収マガジン３を連結する際、回収マガジン３は、案内ローラ１５４で両側面が案内されると共に、下面が案内面１５５に案内され、回収側下壁部１５１ｄ上に乗り上げるように構成されている。なお、本実施形態に係る保持体１５６は、前記回収側側壁部１５１ａ間に跨って配設された棒体で構成されており、回収マガジン３が回収側下壁部１５１ｄに乗り上げた状態で、回収マガジン３の下面に形成された後述する係合用溝３４に棒体１５６が嵌り込むことで、送出口１５２と回収口３１とが一致する適正な位置で回収マガジン３を保持して、装置本体１（回収マガジン連結部１５）に連結（装着）されるようになっている。
【００５１】
また、該回収マガジン連結部１５は、露光処理済みの感光材料Ｐを巻き取るべく回収マガジン３内に設けられた巻取ユニット３３を駆動するための回収側駆動伝達機構（図示しない）を備えている。回収側駆動伝達機構は、ギア、チェーン等の機械要素の組み合わせにより構成されており、連結された回収マガジン３の巻取ユニット３３に回転を伝達できるようになっている。
【００５２】
本実施形態に係る供給マガジン２は、図２及び図７に示す如く、大径のロール体Ｒ（例えば、長さが４０００フィート（１２１９ｍ）で幅が１０インチ（２５４ｍｍ）の感光材料Ｐのロール体であって、重量が約８０ｋｇのロール体）を収容可能に構成され、重量がロール体Ｒと合わせて約１６０ｋｇとなる大型のマガジンである。該供給マガジン２は、上述の如く、ロール体Ｒを収容した状態で重量物になって作業者の労働負担が大きくなるといった理由から、作業者の手押しによって走行させる走行式となっている。
【００５３】
該供給マガジン２は、長尺なペーパーＰのロール体Ｒを回転可能に収容する収容部２１と、上記構成の装置本体１に対して装脱可能に構成された装着部２０とを備えている。
【００５４】
収容部２１は、ロール体Ｒを収容するケース２１０と、ケース２１０にロール体Ｒを軸支させるためのホルダーユニット２２１とで構成されており、ケース２１０の下面に走行輪２１５が設けられている。前記ケース２１０は、ロール体Ｒの周囲を包囲するように形成された収容部本体２１０ａと、該収容部本体２１０ａに開閉可能に枢着された蓋体２１０ｂとで構成されており、蓋体２１０ｂを閉状態にすることで内部を暗室状態にすることができるようになっている。
【００５５】
前記ホルダーユニット２２１は、ロール体Ｒの筒状の芯体に挿通する軸体を備え、ケース２１０に着脱自在な被取付部が枢着されている。これにより、ホルダーユニット２２１をケース２１０に取り付けた状態でロール体Ｒが軸体の軸芯周りで回転でき、感光材料Ｐを引き出せるようになっている。
【００５６】
前記装着部２０は、箱状に形成されており、球面軸受２２を介して収容部２１に連結されており、前記収容部２１に対して所定の間隔を有して設けられている。これにより、装着部２０は、球面軸受２２の球状部分の中心を傾動支点にして収容部２１に対して傾動できるようになっている。前記収容部２１及び装着部２０の互いに対向する壁面には、収容部２１から供給口２１１に向けて感光材料Ｐを挿通するための開口２２０が形成されている。なお、上述の如く、装着部２０と収容部２１との間には、間隙が形成されているため、感光材料が前記開口２２０を通過するに際して感光してしまうのを防止すべく、弾性変形可能な遮光材２３が装着部２０と収容部２１との間に前記開口２２０を包囲するように設けられている。
【００５７】
また、装着部２０の上面には、感光材料Ｐを外部に引き出して前記受入口１４２に供給するための供給口２１１がスリット状に形成されると共に、前記供給側遮光体１４３が嵌合する前記装着部嵌合凹部２１２が前記供給口２１１を含んだ領域に形成されている。また、装着部２０の上面には、装着部２０が連結位置に（装置本体１に対して連結したときにおける適正な位置）に到達したときに各第一ローラ１４６ａが嵌り込む凹部２１３ａ…が第一ローラ１４６ａの配置に対応して形成されている。即ち、装着部２０の上面は、第一ローラ１４６ａによって案内される被案内面と構成しており、装着部２０が連結位置に到達したときに被案内面を案内していた第一ローラ１４６ａが凹部２１３ａに嵌り込んで、当該装着部２０を一時的に保持するようになっている。また、該装着部２０の両側面の上部及び下部は、第二ローラ１４７ａに案内される被案内面を構成している。該被案内面を構成する両側面の上部には、装着部２０が連結位置に到達したときに該被案内面を案内していた第二ローラ１４７ａが嵌り込む凹部２１３ｂが形成されている。従って、第一ローラ１４６ａが嵌り込む凹部２１３ａと同様に、第二ローラ１４７ａの凹部２１３ｂへの嵌り込みによっても装着部２０を一時的に保持できるようになっている。
【００５８】
また、上記構成の装着部２０の両側面（供給マガジン連結部１４に対する連結（装着）方向に形成された一対の側壁部１４１ａの外面）には、前記引込手段１４４の第一ピニオンギア１４４ａと噛合するラックギア２１８が、装着部２０の前面（装着時に先頭となる面）側に設けられている。すなわち、供給マガジン２が所定位置に到達していることを検知手段に検知された状態において、すでに第一ピニオンギア１４４ａにラックギア２１８が噛合している状態となるように、装着時において先頭部分となる装着部２０の前面側に設けられている。また、該ラックギア２１８が設けられた両側面の上部、及び下部には、ロック機構の係合体１４９ａ（カムフォロア１４９ａ）が係合する被係合凸部２１９が形成されている。
【００５９】
図２に戻り、該装着部２０の内部には、供給口２１１から感光材料Ｐを送り出すための前記送出ローラ対２１４が供給口２１１近傍に配設されており、該送出ローラ対２１４の他に、ロール体Ｒから巻きが解かれた感光材料Ｐにテンションを付与するテンション付加手段２１６や、感光材料Ｐが壁面等に接触するのを防止すべく、感光材料Ｐが巻掛けられるフリーローラ２１７などが適宜配設されている。
【００６０】
前記回収マガジン３は、供給マガジン２よりも小さな箱状に形成されており、上面に手押し用のハンドルが設けられると共に、底面の四隅に走行輪３０が設けられている。該回収マガジン３は、供給マガジン２と同様に開閉可能に形成されており、閉状態において暗室状態になるように構成されている。該回収マガジン３の走行（手押し）方向における先頭側の壁板（以下、回収側前壁板という。）には、スリット状の回収口３１が形成されると共に、該回収口３１を含む領域に回収マガジン連結部１５の回収側遮光体１５３が嵌合する回収側嵌合凹部３２が形成されており、該回収側嵌合凹部３２に回収側遮光体１５３が嵌合した状態で、前記送出口１５２と回収口３１とが連通するように構成されている。
【００６１】
該回収マガジン３は、回収口３１から送り込まれてきた感光材料Ｐを巻き取るための巻取ユニット３３を備えている。該巻取ユニット３３は、回収マガジン連結部１５に連結した状態で、装置本体１の回収側駆動伝達機構から駆動を受けるように構成されている。
【００６２】
該回収マガジン３の下面には、走行方向と直交する方向に延びる係合用溝３４が形成されており、上述の如く、回収マガジン連結部１５に連結されるに際し、該回収マガジン連結部１５の下壁部に乗り上げた状態で、係合用溝３４に回収マガジン連結部１５に設けられた保持手段１５６（棒体）が嵌り込んで所定位置で保持されるようになっている。なお、該回収マガジン３は、別途用意された現像処理装置にも装着できるように構成されており、回収された感光材料Ｐを取り出すことなく、現像処理装置に送り出せるようになっている。
【００６３】
本実施形態に係る露光処理装置は、以上の構成からなり、以下に該露光処理装置の使用形態を通じて作動について説明する。
【００６４】
まず、作業者がロール体Ｒを収容した供給マガジン２を手押しにより走行させ、装置本体１の供給側装填口１４０近傍の補助ガイドバー１４８間に導く。この状態においては、補助ガイドバー１４８は、供給マガジン２よりも間隔が広くなっているので、大きな抵抗は生じず、円滑に走行させることができる。そして、円滑な走行が可能な状態において作業者が供給マガジン２（装着部２０）を供給側装填空間１４１に向けて少ない力で押し込むと、供給マガジン２のラックギア２１８と引込手段１４４の第一ピニオンギア１４４ａとが係合し、供給マガジン２の移動に伴って第一ピニオンギア１４４ａが自在に回転できる範囲内で回転することになる。すなわち、第一ピニオンギア１４４ａは、第二ピニオンギア１４４ｂと第一平歯車１４４ｃとの遊びが起因して、原点位置の被検知体が第一ピニオンギア１４４ａの自在に回転できる範囲の限界位置（供給マガジン２の存在が認識される規定検知位置）まで自在に回転することになる。
【００６５】
そして、供給マガジン２が所定位置に存在することを検知すべく設けられたセンサーが、原点位置から変移してきた被検知体を規定検知位置で検知し、その検知結果に基づいて駆動源Ｍが所定時間（供給マガジン２を所定位置から連結位置に移動距離に対応する時間）の間、駆動することになる。
【００６６】
そうすると、駆動源Ｍからの駆動が第二平歯車１４４ｄ、第一平歯車１４４ｃ、第二ピニオンギア１４４ｂを介して第一ピニオンギア１４４ａに伝達され、該第一ピニオンギア１４４ａの回転によってラックギア２１８が奥壁部１４１ｂ側に引き込まれる。この際、供給マガジン２の装着部２０の上面（被案内面）が第一ローラ１４６ａ…に案内され、装着部２０の両側面（被案内面）が供給マガジン連結部１４の第二ローラ１４７ａ…に案内されることになる。その結果、装着部２０は球面軸受２２の球状部分の中心を傾動中心にして傾動し、適性な姿勢に修正された上で所定の連結位置に導かれ、ダンパーが作用すると共に、装着部２０の上面に形成された装着部嵌合凹部２１２に供給側遮光体１４３が嵌合し、供給口２１１と受入口１４２とが遮光状態で連通することになる。
【００６７】
この状態において、第一ローラ１４６ａ…が、装着部２０の上面（被案内面）に形成された凹部２１３ａに嵌合すると共に、第二ローラ１４７ａ…は、両側面の上部（被案内面）に形成された凹部２１３ｂに嵌合し、装着部２０が一時的（仮止め的）に位置決めされ、駆動源Ｍの駆動が停止することになる。この状態で、保持手段１４９のハンドルＨを操作すると、カムフォロア１４９ａが被係合凸部２１９と係合し、装着部２０は装置本体１に感光材料Ｐを供給することのできる連結位置において適正な姿勢で保持され、装置本体１に連結されることになる。
【００６８】
なお、装置本体１が設置された設置面に対し、周辺の床面が傾斜している場合には、上述の如く、供給マガジン２が引込手段１４４によって連結位置に引き込まれるに際し、装着部２０は、上面（被案内面）が第一ローラ１４６ａによって付勢（案内）されると共に、両側面（被案内面）が第二ローラ１４７ａ…によって付勢（案内）されることで、装着部２０が球面軸受２２の回転中心を傾動中心（傾動支点）にして傾動し、適正な姿勢に修正されつつ引き込まれることになる。
【００６９】
そして、供給マガジン２及び回収マガジン３を装置本体１に装着した後は、供給マガジン２（供給口２１１）から感光材料Ｐが連続的に供給され（送り出され）、該感光材料Ｐは、受入口１４２を介して搬送機構１０で搬送されることになる。そして、露光処理領域に到達した感光材料Ｐは走査露光されつつ下流側に搬送され、送出口１５２、回収口３１を介して回収マガジン３に順次巻き取られることになる。
【００７０】
このような連続的な処理を行った結果、供給マガジン２内の感光材料が無くなった場合、供給マガジン２を交換、或いは連結されている供給マガジン２に新たなロール体Ｒを収容することになり、装置本体１から供給マガジン２を離脱させることになる。この際、作業者がハンドルを操作すると保持手段１４９による供給マガジン２の保持が解除され、ハンドルＨの操作と、該露光処理装置の操作（制御）を行う前記スイッチの操作（供給マガジン２を離脱させるための専用のスイッチを設けている場合には、離脱実行用のスイッチを操作）とを併せて行うことで、引込手段１４４の第一ピニオンギア１４４ａが逆転し、該第一ピニオンギア１４４ａの回転に伴ってラックギア２１８が供給側装填口１４０に向けて押しやられ、連結位置から供給マガジン２が離脱することになる。なお、供給マガジン２を連結位置から離脱させた後は、被検知体は付勢手段１４４ｈによって原点位置に復帰しており、再度供給マガジン２を連結するときには、検知手段及び引込手段１４４は、上記作動と同様に作動することになる。
【００７１】
以上のように、本実施形態に係る露光処理装置は、前記連結位置に到達する前の所定位置でマガジンの存在を検知する検知手段と、前記検知手段が供給マガジン２を検知したときに、所定位置の供給マガジン２を連結位置に引き込む引込手段１４４とを備えているので、検知手段が所定位置で供給マガジン２を検知した以降において、人手によって供給マガジン２を連結位置まで移動させる必要がなく、作業員の作業負担を軽減した上で、装置本体１にペーパーＰを供給することのできる連結位置で供給マガジン２を連結させることができる。従って、例えば、供給マガジン２の連結に伴う衝撃を吸収するダンパー等を上述の如く設けたとしても、作業者がその抵抗に対抗できる力を作用させることなく、供給マガジン２を連結位置に導くことができる。
【００７２】
また、供給マガジン２に対する連結位置への前記引き込みに加え、所定の操作に基づいて連結位置から供給マガジン２を離脱させるように引込手段１４４を構成したので、供給マガジン２を装置本体１に連結するときのみならず、供給マガジン２を装置本体１から離脱させるに際しても作業者の作業負担を軽減することができる。
【００７３】
装置本体１に駆動源Ｍから駆動が伝達される第一ピニオンギア１４４ａを設けられると共に、供給マガジン２にラックギア２１８を設けて引込手段１４４を構成するようにしたので、第一ピニオンギア１４４ａを一方向に回転させることで、ラックギア２１８を取り付けた供給マガジン２を連結位置まで引き込むことができる。また、第一ピニオンギア１４４ａを他方向に回転させることで、ラックギア２１８を取り付けた供給マガジン２を連結位置から離脱させることができる。
【００７４】
さらに、前記検知手段を被検知体を検知する非接触センサーで構成し、前記第一ピニオンギア１４４ａを所定の回転角度の範囲で自在に回転するように構成し、しかも、前記被検知体が所定位置に取り付けられて前記所定の回転角度範囲内に設定された原点位置に被検知体を戻すべく、原点復帰用の付勢手段１４４ｈによって所定回転方向に付勢するようにしたので、第一ピニオンギア１４４ａを逆転させて供給マガジン２を連結位置から離脱させるようにしても、被検知体を常に原点位置に復帰させることができ、供給マガジン連結部１４に供給マガジン２を連結するに際し、第一ピニオンギア１４４ａとラックギア２１８との噛合タイミング、駆動タイミングを常に一定にすることができる。しかも、被検知体が原点位置から第一ピニオンギア１４４ａの自在回転可能な範囲の限界位置（規定検知位置）に到達するまで、駆動源Ｍを駆動させないようにしたので、ラックギア２１８に大きな力を作用させることなく、第一ピニオンギア１４４ａをラックギア２１８に噛合させることができ、供給マガジン２の装着時に第一ピニオンギア１４４ａ及びラックギア２１８の歯を傷めるといった事態になるのを防止することができる。
【００７５】
さらに、感光材料Ｐを供給する供給マガジン２が、装着部２０と収容部２１とで構成され、該装着部２０及ぶ収容部２１が球面軸受２２を介して連結されているので、上述の如く、引込手段１４４で供給マガジン２を自動的に引き込むようにしても、装置本体１の案内手段１４５（第一案内体１４６、及び第二案内体１４７）で案内されることで、該装着部２０を適正な姿勢に修正することができ、その結果、床面の状況に左右されずに、感光材料Ｐを安定して装置本体１に供給することができる。
【００７６】
また、引込手段１４４を供給マガジン連結部１４の左右（一対の側壁部１４１ａ）の二箇所に設け、供給マガジン２を両側から引き込むようにしたので、該供給マガジン２の引き込みにおいてバランス良く連結位置に到達させることができる。
【００７７】
尚、本発明のマガジンは、上記実施形態に限定されるものではなく、本発明の要旨を逸脱しない範囲内において種々変更を加え得ることは勿論である。
【００７８】
上記実施形態において、プリント装置の一例として露光処理装置について説明したが、これに限定されるものではなく、例えば、ペーパーに画像を印刷する印刷装置であってもよい。即ち、本発明に係るプリント装置は、大径で重量物となるロール体Ｒを収容する走行式のマガジンを採用し、該マガジンから引き出したペーパーＰに対して画像を形成する装置を対象としたものである。
【００７９】
上記実施形態において、引込手段１４４を構成する第一ピニオンギア１４４ａ（ピニオンギア）を装置本体１に設けると共に、ラックギア２１８を供給マガジン２に設けるようにしたが、これに限定されるものではなく、例えば、ピニオンギアを供給マガジン２に設ける一方で、該ピニオンギアに噛合させるラックギアを供給マガジン２に設けるようにしてもよい。この場合においては、ピニオンギアを駆動する駆動系、該駆動系を駆動するためのエネルギー源を供給マガジン２に内装すればよい。但し、このような構成を供給マガジン２に内装すると、エネルギー源等によって供給マガジン２がさらに重くなるので、上記実施形態の如く、装置本体１に駆動するピニオンギア１４４ａを設けると共に、供給マガジン２にラックギア２１８を設けることが好ましいことは言うまでもない。
【００８０】
上記実施形態において、供給マガジン２が所定位置に到達したことを検知する検知手段を引込手段１４４と一体的に構成するようにしたが、これに限定されるものではなく、検知手段は、引込手段１４４とは別個に配設しても勿論よい。
【００８１】
上記実施形態において、第一ピニオンギア１４４ａ、第二ピニオンギア１４４ｂ、第一平歯車１４４ｃ、及び第二平歯車１４４ｄの四つのギアを組み合わせて装置本体１側の引込手段１４４を構成するようにしたが、該引込手段１４４を歯車の組み合わせで構成する場合、四つの歯車の組み合わせに限定されず、駆動源Ｍの回転数を供給マガジン２を連結位置に引き込むのに適性な回転に減速又は増速するように適宜組み合わせるようにすればよい。
【００８２】
上記実施形態において、所定位置に到達した供給マガジン２を装置本体１に感光材料（ペーパー）Ｐを供給することができる連結位置に引き込む引込手段１４４として、ピニオンギアとラックギア２１８との組み合わせで構成するようにしたが、これに限定されるものではなく、引込手段１４４は、例えば、一端に供給マガジン２と係脱可能な係合手段（例えば、係合爪）を備えた伸縮可能なアクチュエータ（例えば、電動シリンダーやエアーシリンダー等）で構成されてもよい。このようにすれば、アクチュエータを短縮させることで供給マガジン２を連結位置にまで引き込むことができ、アクチュエータを伸長させることで供給マガジン２を連結位置から離脱させることができる。
【００８３】
この場合、検知手段には、非接触センサーを採用し、該非接触センサーを供給マガジン連結部１４の適宜位置に引込手段１４４とは別個独立に設け、供給マガジン２が所定位置に存在するか否かを検知し、該検知結果に基づいてアクチュエータを伸縮させるようにすればよい。また、このように伸縮可能なアクチュエータを採用した場合には、必ずしも両側壁部１４１ａに引込手段１４４を設ける必要はなく、例えば、供給マガジン連結部１４における供給マガジン２の装填中心に配置するようにしてもよい。但し、供給マガジン２を安定して引き込むには、供給マガジン２を両側面に引込力が作用するよう、上記実施形態と同様に両側壁部１４１ａに設けることが好ましい。
【００８４】
上記実施形態において、所定の操作を行うことで装置本体１に連結された供給マガジン２を連結位置から離脱させるように引込手段１４４を構成するようにしたが、これに限定されるものではなく、引込手段１４４は、例えば、ロール体Ｒを収容した供給マガジン２を連結位置にまで引き込むときだけ駆動するように構成し、手動で供給マガジン２を連結位置から離脱させるようにしてもよい。即ち、供給マガジン２を離脱させる時には、感光材料（ペーパー）Ｐが消費されており、供給マガジン連結部１４に対する連結時に比して供給マガジン２が軽量となっているので、供給マガジン２を離脱させるときは手動で行うようにしてもよい。
【００８５】
このような構成にするには、例えば、供給マガジン２を連結位置に引き込む方向のみに回転トルクを伝達し、所定の操作（例えば、ハンドルＨの操作）を行うことで何れの回転方向にも回転トルクを伝達しないように構成したトルク伝達機構を介して第一ピニオンギア１４４ａに駆動源Ｍからの駆動を伝達するようにすればよい。また、このようにしても、供給マガジン連結部１４に連結時の衝撃を吸収するダンパーが設けられている場合には、連結位置に位置する供給マガジン２にはダンパーによる対抗力が作用しており、所定の操作を行うことで何れの方向にも回転トルクが伝達されなければ、ダンパーの対抗力の作用により、供給マガジン２を実質的に自動で連結位置から離脱させることができる。但し、上記実施形態の如く、装着部２０に第一ローラ１４６ａ及び第二ローラ１４７ａが嵌り込む凹部２１３ａ，２１３ｂを設ける場合には、この凹部２１３ａ，２１３ｂとローラ１４６ａ，１４６ｂとの係合を解除できる対抗力を作用させるダンパー等を採用する必要があることは言うまでもない。
【００８６】
上記実施形態において、供給マガジン２を連結位置から離脱させるのに、ハンドルＨの操作に加えて別のスイッチを操作することで引込手段１４４が動作するようにしたが、これに限定されるものではなく、例えば、ハンドルＨの操作のみを行うだけで引込手段１４４が動作するように構成しても勿論よい。
【００８７】
上記実施形態において、供給マガジン２の存在を検知する検知手段として、被検知体を非接触で検知するセンサーを採用するようにしたが、これに限定されるものではなく、例えば、第一ピニオンギア１４４ａの軸に検知手段としてのロータリーエンコーダーを連結し、ロータリーエンコーダーから発振されるパルスを基に、第一ピニオンギア１４４ａの回転変位を検知することで、供給マガジン２が所定位置に存在することを検知するようにしてもよい。また、検知手段としては、ロータリーエンコーダー以外に例えば、リミットスイッチを採用することもできる。この場合、リミットスイッチを作動させるためのストライカーを第一ピニオンギア１４４ａ又は第一ピニオンギア１４４ａの軸の何れかの所定位置に設ければよい。
【図面の簡単な説明】
【００８８】
【図１】本発明の一実施形態に係る露光処理装置の全体図を示す。
【図２】同実施形態に係る露光処理装置全体における内部構成の概略図を示す。
【図３】同実施形態に係る装置本体の部分概略断面図であって、図２におけるＩ−Ｉ断面図を示す。
【図４】同実施形態に係る装置本体の部分概略断面図であって、図２におけるＩＩ−ＩＩ断面図を示す。
【図５】同実施形態に係る引込手段の縦断面図を示す。
【図６】同実施形態に係る引込手段の横断面図であって、図５におけるＩＩＩ−ＩＩＩ断面図を示す。
【図７】同実施形態に係る供給マガジンの全体斜視図を示す。
【符号の説明】
【００８９】
１…装置本体、２…供給マガジン、３…回収マガジン、１０…搬送機構、１１…露光ユニット、１２…切断装置、１３…筐体、１４…供給マガジン連結部、１５…回収マガジン連結部、２０…装着部、２１…収容部、２２…球面軸受、２３…遮光材、３０…走行輪、３１…回収口、３２…回収側嵌合凹部、３３…巻取ユニット、３４…係合用溝、１００…搬送ローラ対、１４０…供給側装填口（開口）、１４１…供給側装填空間（空間）、１４１ａ…側壁部（壁部）、１４１ｂ…奥壁部（壁部）、１４１ｃ…上壁部（壁部）、１４２…受入口、１４３…供給側遮光体、１４４…引込手段、１４４ａ…第一ピニオンギア（ピニオンギア）、１４４ｂ…第二ピニオンギア、１４４ｃ…第一平歯車、１４４ｄ…第二平歯車、１４４ｅ…ピン、１４４ｆ…ピン、１４４ｇ…フレーム、１４４ｈ…付勢手段、１４５…案内手段、１４６…第一案内体、１４６ａ…第一ローラ、１４６ｂ…ブロック体、１４７…第二案内体、１４７ａ…第二ローラ、１４７ｂ…ブロック体、１４７ｃ…付勢手段、１４８…補助ガイドバー、１４９…保持手段、1４９ａ…カムフォロア（係合体）、１４９ｂ…アーム、１５０…回収側装填口（開口）、１５１…回収側装填空間（開口）、１５１ａ…回収側側壁部（壁部）、１５１ｂ…回収側奥壁部（壁部）、１５１ｃ…回収側上壁部（壁部）、１５１ｄ…回収側下壁部（壁部）、１５２…送出口、１５３…回収側遮光体、１５４…案内ローラ、１５５…案内面、１５６…棒体（保持体）、１６０…係合凸部、１６１…凹部、２１０…ケース、２１０ａ…収容部本体、２１０ｂ…蓋体、２１１…供給口、２１２…装着部嵌合凹部、２１３ａ，２１３ｂ…凹部、２１５…走行輪、２１６…テンション付加手段、２１７…フリーローラ、２１８…ラックギア、２１９…被係合凸部、２２０…開口、２２１…ホルダーユニット、Ｈ…ハンドル、Ｐ…ペーパー、Ｐ…感光材料、Ｒ…ロール体、Ｍ…駆動源、Ｆ…フレーム
【図１】
2006016152.tif 000003
【図２】
2006016152.tif 000004
【図３】
2006016152.tif 000005
【図４】
2006016152.tif 000006
【図５】
2006016152.tif 000007
【図６】
2006016152.tif 000008
【図７】
2006016152.tif 000009